(57)【要約】【課題】外部のセンター装置と家庭内の端末装置を用いた様々なネットワークシステムの通信を標準の通信プロトコルによって中継して通信することができるようにする。【解決手段】無線電文解析手段１０２での解析に基づいて通信プロトコルを変換する無線プロトコル変換手段１０５によりプロトコル変換した電文を端末装置へ通知し、端末装置から受信した電文を無線プロトコル変換手段１０５を介して標準プロトコルの電文に変換して無線通信を行うものである。【選択図】  図２
2004201217.tif 000002
【特許請求の範囲】
【請求項１】
端末装置と接続して、通信端末からの無線信号を受信する無線受信手段と、前記無線信号および前記端末装置より受信した電文を解析する無線電文解析手段と、前記無線電文解析手段の解析に基づいて電文を生成する無線電文生成手段と、前記無線電文解析手段での解析に基づいて通信プロトコルを変換する無線プロトコル変換手段と、前記無線プロトコル変換手段によりプロトコル変換した電文を前記端末装置へ通知して前記端末装置から受信した電文を前記無線プロトコル変換手段を介して前記無線電文解析手段へ通知する無線部端末通信手段と、前記無線電文生成手段で生成した電文を前記通信端末に無線信号で送信する無線送信手段とを備えた無線アダプタ。
【請求項２】
無線電文解析手段は、無線信号により受信した電文のプロトコル識別子によってプロトコルを識別し、無線プロトコル変換手段は、前記無線電文解析手段の解析により識別した通信プロトコルへの変換を行うことを特徴とした請求項１記載の無線アダプタ。
【請求項３】
通信回線を介してセンター装置と端末装置が通信を行うシステムにおいて、前記通信回線によって前記センター装置と接続を行う網制御手段と、前記センター装置より受信した電文および前記端末装置より受信した電文を解析する通信電文解析手段と、前記通信電文解析手段の解析に基づいて電文を生成して前記センター装置に送信を行う通信電文生成手段と、前記通信電文解析手段での解析に基づいて通信プロトコルを変換する通信プロトコル変換手段と、前記通信プロトコル変換手段によりプロトコル変換した電文を前記端末装置へ通知して前記端末装置から受信した電文を前記通信プロトコル変換手段を介して前記通信電文解析手段へ通知する端末通信手段とを備えた通信端末。
【請求項４】
通信電文解析手段は、センター装置より受信した電文のプロトコル識別子によってプロトコルを識別し、通信プロトコル変換手段は、前記通信電文解析手段の解析により識別した通信プロトコルへの変換を行うことを特徴とした請求項３記載の通信端末。
【請求項５】
請求項１〜４の少なくとも１項記載の無線アダプタまたは通信端末の手段の全てもしくは一部をコンピュータに実行させるプログラム。
【発明の詳細な説明】
【０００１】
【発明の属する技術分野】
本発明は、センター装置と通信を行う端末装置の間に接続して、通信回線によって通信を行うための通信端末とその情報を無線を用いて通信を行う無線アダプタ、特にテレメータ、テレコントロールのためのデータ伝送を行う通信端末および無線アダプタに関する。
【０００２】
【従来の技術】
需要家宅に設置された端末装置であるガスメータ、水道メータや電力メータなどの計量値や異常通報を行うために、通信端末を用いた集中監視システムが数多く実用化されている。さらに、通信端末と各種メータの間に無線を用いた図９（Ａ）に示すようなシステムも用いられるようになっている。同図においては、センサー装置であるガス監視センターと通信端末である端末網制御装置が公衆電話回線で接続されており、端末網制御装置は無線によって無線アダプタを介してガスメータと接続して通信を行う。各部の電文フォーマットに関しては公衆網、無線、シリアル通信線の違いはあるが全てのルートにおいてガスメータ用の電文フォーマットを用いた通信となっている。
【０００３】
これらの電文フォーマットは各メータの種類によって通信速度、データビット数などの基本的な通信形態や電文フォーマット、通信手順が異なるため、それぞれ独自のシステムとして全く別々に運用されることが多い。
【０００４】
このため、メータに接続される通信端末に複数の電文フォーマットで通信する機能を搭載して、メータへ電文を送信して正常な応答電文の返信があることを確認してメータの電文フォーマットを判定することによりメータ集中監視システムの共用化を行う方法が開示されている（例えば、特許文献１参照）。
【０００５】
また、無線を用いた集中監視システムでは、無線アダプタとメータの間に電文フォーマットを変換するデータ変換制御手段を設けることで各種のメータに対応する方法が開示されている（例えば、特許文献２参照）。
【０００６】
さらに、家庭内の家電機器ネットワークに接続した家電機器用ネットワークシステムとして、遠隔地のセンター装置である機器管理センターと端末装置である家電機器を接続して、動作プログラムの更新や情報取得などを行うことが考えられている。このため、家庭内の家電機器ネットワークとして専用線、電灯線や無線を用いたＥＣＨＯＮＥＴなどの通信プロトコルの標準化が図られ始めており、前記検針メータのプロトコルとはさらに異なった制御系ネットワークが作られつつある。図９（Ｂ）はその一例で、ＥＣＨＯＮＥＴプロトコルを用いてセンター装置である機器管理センターと端末装置である家電機器を接続して通信を行うシステムである。
【０００７】
【特許文献１】
特開平８−１０７４５６号公報（第２−３頁、第１図）
【特許文献２】
特開平９−１９８５９６号公報（第２−３頁、第１図）
【０００８】
【発明が解決しようとする課題】
しかしながら、上記の従来の通信システムでは、通信を繰り返し行うことで通信プロトコルを確認するという時間のかかる処理を行ったり、無線アダプタと端末装置の間に電文フォーマットを変換するデータ変換制御手段を設けたりして新たな機器の追加が必要であったりして、複数の通信プロトコルを伝送する場合にはプロトコルの確認に時間がかかったり追加機器が必要になったりしていた。
【０００９】
本発明は、前記従来の課題を解決するもので、外部のセンター装置と家庭内の端末装置を用いた様々なネットワークシステムの通信を共通の通信プロトコルによって中継して通信することができる無線アダプタおよび通信端末を提供することを目的とする。
【００１０】
【課題を解決するための手段】
上記課題を解決するため、無線電文解析手段での解析に基づいて通信プロトコルを変換する無線プロトコル変換手段と、前記無線プロトコル変換手段によりプロトコル変換した電文を端末装置へ通知して前記端末装置から受信した電文を前記無線プロトコル変換手段を介して前記無線電文解析手段へ通知する無線部端末通信手段とを備えて、端末装置との通信プロトコルを変換して無線により通信端末を介して外部のセンター装置と通信することにより、外部のセンター装置と家庭内の端末装置を用いた様々なネットワークシステムの通信を共通の通信プロトコルによって中継して通信することができる。
【００１１】
【発明の実施の形態】
本発明の請求項１にかかる無線アダプタは、端末装置と接続して、通信端末からの無線信号を受信する無線受信手段と、前記無線信号および前記端末装置より受信した電文を解析する無線電文解析手段と、前記無線電文解析手段の解析に基づいて電文を生成する無線電文生成手段と、前記無線電文解析手段での解析に基づいて通信プロトコルを変換する無線プロトコル変換手段と、前記無線プロトコル変換手段によりプロトコル変換した電文を前記端末装置へ通知して前記端末装置から受信した電文を前記無線プロトコル変換手段を介して前記無線電文解析手段へ通知する無線部端末通信手段と、前記無線電文生成手段で生成した電文を前記通信端末に無線信号で送信する無線送信手段とを備えることで、端末装置との通信プロトコルを変換して無線により通信端末を介して外部のセンター装置と通信することにより、外部のセンター装置と家庭内の端末装置を用いた様々なネットワークシステムの通信を共通の通信プロトコルによって中継して通信することができる。
【００１２】
本発明の請求項２にかかる無線アダプタは、特に、請求項１記載の無線電文解析手段が、無線信号により受信した電文のプロトコル識別子によってプロトコルを識別し、無線プロトコル変換手段は、前記無線電文解析手段の解析により識別した通信プロトコルへの変換を行うことにより、受信した電文のプロトコル識別子を確認するだけでプロトコルを確認して変換処理を行うことができる。
【００１３】
本発明の請求項３にかかる通信端末は、通信回線を介してセンター装置と端末装置が通信を行うシステムにおいて、通信回線によってセンター装置と接続を行う網制御手段と、前記センター装置より受信した電文および前記端末装置より受信した電文を解析する通信電文解析手段と、前記通信電文解析手段の解析に基づいて電文を生成して前記センター装置に送信を行う通信電文生成手段と、前記通信電文解析手段での解析に基づいて通信プロトコルを変換する通信プロトコル変換手段と、前記通信プロトコル変換手段によりプロトコル変換した電文を前記端末装置へ通知して前記端末装置から受信した電文を前記通信プロトコル変換手段を介して前記通信電文解析手段へ通知する端末通信手段とを備えたことにより、端末装置との通信プロトコルを変換して外部のセンター装置と通信することにより、外部のセンター装置と家庭内の端末装置を用いた様々なネットワークシステムの通信を共通の通信プロトコルによって中継して通信することができる。
【００１４】
本発明の請求項４にかかる通信端末は、特に、請求項３記載の通信電文解析手段が、センター装置より受信した電文のプロトコル識別子によってプロトコルを識別し、通信プロトコル変換手段が、前記通信電文解析手段の解析により識別した通信プロトコルへの変換を行うことにより、受信した電文のプロトコル識別子を確認するだけでプロトコルを確認して変換処理を行うことができる。
【００１５】
本発明の請求項５にかかるプログラムは、請求項１〜４の少なくとも１項記載の無線アダプタまたは通信端末の手段の全てもしくは一部をプログラムで実行させることにより、記録媒体や通信回線でのダウンロードによって運用途中でのプログラムの変更や追加を行うことができるので、新たな仕様変更に対応できる。
【００１６】
【実施例】
以下、本発明の実施例について図面を用いて説明する。
【００１７】
（実施例１）
図１は実施例１における通信端末および無線アダプタを用いた家庭内制御システムの構成を示す図で、通信回線は公衆電話回線で、センター装置であるガス集中監視センター３や機器管理センター５が公衆電話回線を介して通信端末２と接続しており、通信端末２と端末装置の１つであるガスメータ４は無線アダプタ１を介して無線で通信を行い、通信端末２と端末装置の１つである洗濯機等の家電機器５も無線で通信を行う構成となっている。
【００１８】
図２は本発明の実施例１における端末装置としてのガスメータ４との無線通信に用いる無線アダプタ１のブロック構成図で、１０１は、通信端末２からの無線信号を受信する無線受信手段、１０２は、無線信号や端末装置より受信した電文を解析する無線電文解析手段、１０３は、無線電文解析手段１０２の解析に基づいて電文を生成する無線電文生成手段、１０４は、無線電文生成手段１０３で生成した電文を通信端末に無線信号で送信する無線送信手段、１０５は、無線電文解析手段１０２での解析に基づいて通信プロトコルを変換する無線プロトコル変換手段、１０６は、無線プロトコル変換手段１０５によりプロトコル変換した電文をガスメータ４へ通知してガスメータ４から受信した電文を無線プロトコル変換手段１０５を介して無線電文解析手段１０２へ通知する無線部端末通信手段である。また、無線電文解析手段１０２、無線電文生成手段１０３および無線プロトコル変換手段１０５はＣＰＵ内に構成することで全体回路の小型化を行うことができる。
【００１９】
次に、本実施例１における家庭内制御システムによるガス集中監視センター３とガスメータ４との通信動作を図１、図２および信号フローを示す図３、図４を用いて説明する。
【００２０】
ガス集中監視センター３から公衆電話回線を介して通信端末２のある家庭へ発信した場合、通信端末２のある家庭の公衆電話回線へ呼出信号が来るので、通信端末２はガス集中監視センター３との接続を行って通信を行う。
【００２１】
ガス集中監視センター３は、通信端末２との接続が行われると、「ポート選択電文」３０１、「機器制御電文」３０２をＥＣＨＯＮＥＴプロトコルの電文として通信端末２へ送信する。この２つの電文にはヘッダの一部として「０Ｃ」というキャラクタがついており、ガスメータ４への通信プロトコルの電文を含んでいることを示している。また、「ポート選択電文」３０１は、無線アダプタ１に接続されたガスメータ４のポートと通信を要求していることを示す電文、「機器制御電文」３０２はガスメータの制御内容（例えば、検針値読み出し、遮断弁遮断など）の指示を示す電文である。
【００２２】
通信端末２は、ガス集中監視センター３より電文を受信すると、受信した各電文を１電文ずつ無線によって無線アダプタ１へ送信する。
【００２３】
無線アダプタ１では、「ポート選択電文」３０１を無線受信手段１０１によって受信すると、無線電文解析手段１０２によって電文内容を解析して必要な応答を返すことを無線電文生成手段１０３へ通知する。無線電文生成手段１０３では、無線電文解析手段１０２より「ポート選択電文」３０１への応答の通知を受けると、「ポート選択応答電文」３０３を生成して無線送信手段１０４を介して通信端末２へ送信してガスメータへの通信を了解したことを通知する。この電文にはヘッダの一部として「０Ｄ」というキャラクタがついており、ガスメータ４から通信端末２への通信プロトコルの電文を含んでいることを示している。
【００２４】
さらに「機器制御電文」３０２を無線受信手段１０１によって受信すると、無線電文解析手段１０２によって電文内容を解析してヘッダの「０Ｃ」および電文内容によりガスメータ４への電文であることを判断し、無線プロトコル変換手段１０５へ通知する。無線プロトコル変換手段２０５では、無線電文解析手段１０２より「機器制御電文」３０２のガスメータ４への通知を受けると、ガスメータプロトコルによる「機器制御電文」３０２Ａを生成して無線部端末通信手段１０６を介してガスメータ４へ送信する。
【００２５】
ガスメータ４は、「機器制御電文」３０２Ａを受信すると電文に示された制御内容を実行し、応答電文として「機器制御応答電文」３０４Ａを生成して無線アダプタ１へ送信する。
【００２６】
無線アダプタ１は、ガスメータ４より無線部端末通信手段１０６により「機器制御応答電文」３０４Ａを受信すると、無線プロトコル変換手段１０５によってＥＣＨＯＮＥＴプロトコルに変換した「機器制御応答電文」３０４を無線によって通信端末２へ送信する。
【００２７】
通信端末２では、「機器制御応答電文」３０４を無線によって受信すると、ガスメータ４への通信が終了したことを示す「終了電文」３０５を無線アダプタ１へ送信し、ガス集中監視センター３との公衆電話回線での接続を行い、「機器制御応答電文」３０４をガス集中監視センター３へ送信する。
【００２８】
次に、機器管理センター５と家電機器６との通信動作を図１、図２および信号フローを示す図４を用いて説明する。
【００２９】
機器管理センター５から公衆電話回線を介して通信端末２のある家庭へ発信した場合、通信端末２のある家庭の公衆電話回線へ呼出信号が来るので、通信端末２は機器管理センター５との接続を行って通信を行う。
【００３０】
機器管理センター５は、通信端末２との接続が行われると、「機器制御電文」４０１をＥＣＨＯＮＥＴプロトコルの電文として通信端末２へ送信する。この電文にはヘッダの一部として「９Ｃ」というキャラクタがついており、家電機器６への通信プロトコルであるＥＣＨＯＮＥＴプロトコルの電文そのものであることを示している。
【００３１】
通信端末２は、機器管理センター５より電文を受信すると、電文内容を解析してヘッダの「０Ｃ」および電文内容により家電機器６への電文であることを判断し、受信した電文を無線によって家電機器６へ送信する。
【００３２】
家電機器６では、「機器制御電文」４０１を受信すると、電文に示された制御内容を実行し、応答電文として「機器制御応答電文」４０２を生成して無線によって通信端末２へ送信する。この電文にはヘッダの一部として「９Ｄ」というキャラクタがついており、家電機器６から通信端末２への通信プロトコルであるＥＣＨＯＮＥＴプロトコルの電文そのものであることを示している。
【００３３】
通信端末２では、「機器制御応答電文」４０２を無線によって受信すると、機器管理センター５との公衆電話回線での接続を行い、「機器制御応答電文」４０２を機器管理センター５へ送信する。
【００３４】
本実施例の構成によれば、ガスメータと無線アダプタとの直接通信部分以外はＥＣＨＯＮＥＴプロトコルによる電文によって通信するので、従来使用していたガスメータを変更することなく標準化された家庭内ネットワークと接続することができる。
【００３５】
（実施例２）
図５は、実施例２における通信端末を用いた家庭内制御システムの構成を示す図で、通信回線は公衆電話回線で、センター装置であるガス集中監視センター３および機器管理センター５が公衆電話回線を介して通信端末２と接続しており、通信端末２と端末装置であるガスメータ４および家電機器６は有線で接続された構成となっている。
【００３６】
図６は本発明の実施例２における家庭内制御システムに用いる通信端末２のブロック構成図で、６０１は、通信回線によってガス集中監視センター３や機器管理センター５と接続を行う網制御手段、６０２は、ガス集中監視センター３や機器管理センター５より受信した電文およびガスメータ４や家電機器６より受信した電文を解析する通信電文解析手段、６０３は、通信電文解析手段６０２の解析に基づいて電文を生成してガス集中監視センター３や機器管理センター５に送信を行う通信電文生成手段、６０４は、通信電文解析手段６０２での解析に基づいて通信プロトコルを変換する通信プロトコル変換手段、６０５は、通信プロトコル変換手段６０４によりプロトコル変換した電文をガスメータ４や家電機器６へ通知してガスメータ４や家電機器６から受信した電文を通信プロトコル変換手段６０４を介して通信電文解析手段６０２へ通知する端末通信手段である。また、通信電文解析手段６０２、通信電文生成手段６０３および通信プロトコル変換手段６０４はＣＰＵ内に構成することで全体回路の小型化を行うことができる。
次に、本実施例２における家庭内制御システムの動作を図５、図６および信号フローを示す図７を用いて説明する。
【００３７】
ガス集中監視センター３から公衆電話回線を介して通信端末２のある家庭へ発信した場合、通信端末２のある家庭の公衆電話回線へ呼出信号が来るので、通信端末２はガス集中監視センター３との接続を行って通信を行う。
【００３８】
センター装置３は、通信端末２との接続が行われると、「ポート選択電文」３０１、「機器制御電文」３０２をＥＣＨＯＮＥＴプロトコルの電文として通信端末２へ送信する。この２つの電文にはヘッダの一部として「０Ｃ」というキャラクタがついており、ガスメータ４への通信プロトコルの電文を含んでいることを示している。
【００３９】
通信端末２は、センター装置３より「ポート選択電文」３０１を網制御手段６０１を介して受信すると、通信電文解析手段６０２によって電文内容を解析してガスメータ４への通信開始であることを判断し、ガスメータ４との通信を準備する。さらに「機器制御電文」３０２を網制御手段６０１によって受信すると、通信電文解析手段６０２によって電文内容を解析してヘッダの「０Ｃ」および電文内容によりガスメータ４への電文であることを判断し、通信プロトコル変換手段６０４へ通知する。通信プロトコル変換手段６０４では、通信電文解析手段６０２より「機器制御電文」３０２のガスメータ４への通知を受けると、ガスメータプロトコルによる「機器制御電文」３０２Ａを生成して端末通信手段６０５を介してガスメータ４へ送信する。
【００４０】
ガスメータ４は、「機器制御電文」３０２Ａを受信すると電文に示された制御内容を実行し、応答電文として「機器制御応答電文」３０４Ａを生成して通信端末２へ送信する。
【００４１】
通信端末２は、ガスメータ４より端末通信手段６０５により「機器制御応答電文」３０４Ａを受信すると、センター装置３との公衆電話回線での接続を行い、通信プロトコル変換手段６０４によってＥＣＨＯＮＥＴプロトコルに変換した「機器制御応答電文」３０２を通信電文生成手段６０３を介してセンター装置３へ送信する。
【００４２】
また、実施例２における機器管理センター５と家電機器６との通信動作は実施例１の信号フローを示す図４を同じで、実施例１との違いは通信端末２と家電機器６との間の通信が無線でなく有線であることのみである。
【００４３】
本実施例の構成によれば、ガスメータと通信端末との直接通信部分以外はＥＣＨＯＮＥＴプロトコルによる電文によって通信するので、従来使用していたガスメータを変更することなく標準化された家庭内ネットワークと接続することができる。
【００４４】
（実施例３）
実施例３における通信端末を用いた家庭内制御システムの構成は実施例１と同じ図１で示され、無線アダプタ１は図２、情報端末２は図６で示す構成である。
【００４５】
実施例１との違いは、ガス集中管理センター３と通信端末２間の通信が標準化されたＥＣＨＯＮＥＴプロトコルによる電文でなく、ガス集中管理システムとして従来から用いられているガスメータ通信仕様にもとづく電文であることである。
【００４６】
次に、本実施例３における家庭内制御システムによるガス集中監視センター３とガスメータ４との通信動作を図１、図２および信号フローを示す図８を用いて説明する。
【００４７】
ガス集中監視センター３から公衆電話回線を介して通信端末２のある家庭へ発信した場合、通信端末２のある家庭の公衆電話回線へ呼出信号が来るので、通信端末２はガス集中監視センター３との接続を行って通信を行う。
【００４８】
ガス集中監視センター３は、通信端末２との接続が行われると、「ポート選択電文」３０１Ａをガスメータ通信プロトコルの電文として通信端末２へ送信する。
【００４９】
通信端末２は、ガス集中監視センター３より「ポート選択電文」３０１Ａを網制御手段６０１を介して受信すると、通信電文解析手段６０２によって電文の通信プロトコルを解析して通信プロトコルを通信プロトコル変換手段６０３へ受信電文と共に通知する。通信プロトコル変換手段６０４では、受信電文がガスメータ通信プロトコルであった場合には、受信電文をＥＣＨＯＮＥＴプロトコルの電文に変換した「ポート選択電文」３０１を端末通信手段６０５を介して無線によって無線アダプタ１へ送信する。この電文にはヘッダの一部として「０Ｃ」というキャラクタがついており、ガスメータ４への通信プロトコルの電文を含んでいることを示している。
【００５０】
無線アダプタ１では、「ポート選択電文」３０１を無線受信手段１０１によって受信すると、無線電文解析手段１０２によって電文内容を解析して必要な応答を返すことを無線電文生成手段１０３へ通知する。無線電文生成手段１０３では、無線電文解析手段１０２より「ポート選択電文」３０１への応答の通知を受けると、「ポート選択応答電文」３０３を生成して無線送信手段１０４を介して通信端末２へ送信してガスメータへの通信を了解したことを通知する。この電文にはヘッダの一部として「０Ｄ」というキャラクタがついており、ガスメータ４から通信端末２への通信プロトコルの電文を含んでいることを示している。
【００５１】
通信端末２では、「ポート選択応答電文」３０３を無線によって受信すると、通信プロトコル変換手段６０４によってガスメータ通信プロトコルに変換して通信電文生成手段６０３を介して網制御手段６０１へ送り、ガス集中監視センター３との公衆電話回線での接続を行って、「ポート選択応答電文」３０３Ａとしてガス集中監視センター３へ送信する。
【００５２】
ガス集中監視センター３は、「ポート選択応答電文」３０３Ａを通信端末２より受信すると、「機器制御電文」３０２Ａをガスメータ通信プロトコルの電文として通信端末２へ送信する。
【００５３】
通信端末２は、ガス集中監視センター３より「機器制御電文」３０２Ａを網制御手段６０１を介して受信すると、通信電文解析手段６０２によって電文の通信プロトコルを解析して通信プロトコルを通信プロトコル変換手段６０３へ受信電文と共に通知する。通信プロトコル変換手段６０４では、受信電文がガスメータ通信プロトコルであるので、受信電文をＥＣＨＯＮＥＴプロトコルの電文に変換した「機器制御電文」３０２を端末通信手段６０５を介して無線によって無線アダプタ１へ送信する。
【００５４】
無線アダプタ１では、「機器制御電文」３０２を無線受信手段１０１によって受信すると、無線電文解析手段１０２によって電文内容を解析してヘッダの「０Ｃ」および電文内容によりガスメータ４への電文であることを判断し、無線プロトコル変換手段１０５へ通知する。無線プロトコル変換手段２０５では、無線電文解析手段１０２より「機器制御電文」３０２のガスメータ４への通知を受けると、ガスメータプロトコルによる「機器制御電文」３０２Ａを生成して無線部端末通信手段１０６を介してガスメータ４へ送信する。
【００５５】
ガスメータ４は、「機器制御電文」３０２Ａを受信すると電文に示された制御内容を実行し、応答電文として「機器制御応答電文」３０４Ａを生成して無線アダプタ１へ送信する。
【００５６】
無線アダプタ１は、ガスメータ４より無線部端末通信手段１０６により「機器制御応答電文」３０４Ａを受信すると、無線プロトコル変換手段１０５によってＥＣＨＯＮＥＴプロトコルに変換した「機器制御応答電文」３０４を無線によって通信端末２へ送信する。
【００５７】
通信端末２では、「機器制御応答電文」３０４を無線によって受信すると、通信プロトコル変換手段６０４によってガスメータ通信プロトコルに変換して通信電文生成手段６０３を介して網制御手段６０１へ送り、ガス集中監視センター３との公衆電話回線での接続を行って、「機器制御応答電文」３０４Ａとしてガス集中監視センター３へ送信する。
【００５８】
ガス集中監視センター３は、「機器制御応答電文」３０４Ａを通信端末２より受信すると、ガスメータ４への通信が終了したことを示す「終了電文」３０５Ａをガスメータ通信プロトコルの電文として通信端末２へ送信する。
【００５９】
通信端末２は、ガス集中監視センター３より「終了電文」３０５Ａを網制御手段６０１を介して受信すると、通信電文解析手段６０２によって電文の通信プロトコルを解析して通信プロトコルを通信プロトコル変換手段６０３へ受信電文と共に通知する。通信プロトコル変換手段６０４では、受信電文がガスメータ通信プロトコルであるので、受信電文をＥＣＨＯＮＥＴプロトコルの電文に変換した「終了電文」３０５を端末通信手段６０５を介して無線によって無線アダプタ１へ送信する。
【００６０】
本実施例の構成によれば、ガスメータとの通信を行うガス集中監視センターと通信端末との通信は従来より用いているガスメータ通信プロトコルを用いて通信を行えるので、ガス集中監視センターを変更することなく標準化された家庭内ネットワークとも接続するシステムを構成することができる。
【００６１】
なお、以上の各実施例はいずれもＥＣＨＯＮＥＴプロトコルのヘッダの一部に「０Ｃ」、「０Ｄ」、「９Ｃ」、「９Ｄ」というキャラクタを入れることでガスメータや家電機器との電文であることを示すこととしたが、キャラクタでなくあらかじめ定めた文字や数字等の識別子をヘッダの一部に入れることでプロトコル変換の識別を行うようにすれば、より少ない情報量でプロトコル識別を行ったり、より多くのプロトコルに対応し易くすることができる。
【００６２】
また、以上の各実施例はいずれもＥＣＨＯＮＥＴプロトコルによる電文によって通信プロトコルを共通化することとしたが、その他の家庭内ネットワークとして標準化された通信プロトコルによる電文で通信することとしても同等の効果が得られる。
【００６３】
また、以上の各実施例はいずれもセンター装置と通信端末間の通信回線を公衆電話回線としたが、ＩＳＤＮ電話回線やＡＤＳＬ、光ネットワークによる常時接続回線とすればより速く、多くの情報通信を行うことができる。
【００６４】
【発明の効果】
以上説明したように本発明の無線アダプタは、無線受信した標準の通信プロトコル電文をプロトコル変換して端末装置に対応したプロトコルで端末装置と通信を行うことにより、外部のセンター装置と家庭内の端末装置を用いた様々なネットワークシステムの通信を標準の通信プロトコルによって中継して通信することができる。
【図面の簡単な説明】
【図１】本発明の実施例１における家庭内制御システムの構成図
【図２】本発明の実施例１における無線アダプタのブロック構成図
【図３】本発明の実施例１におけるガスメータ通信フロー図
【図４】本発明の実施例１における家電機器通信フロー図
【図５】本発明の実施例２における家庭内制御システムの構成図
【図６】本発明の実施例２における通信端末のブロック構成図
【図７】本発明の実施例２におけるガスメータ通信フロー図
【図８】本発明の実施例３におけるガスメータ通信フロー図
【図９】（Ａ）従来の通信システムの構成図
（Ｂ）従来の通信システムの構成図
【符号の説明】
１  無線アダプタ
２  通信端末
３  ガス集中監視センター（センター装置）
４  機器管理センター（センター装置）
５  ガスメータ（端末装置）
６  家電機器（端末装置）
１０１  無線受信手段
１０２  無線電文解析手段
１０３  無線電文生成手段
１０４  無線送信手段
１０５  無線プロトコル変換手段
１０６  無線部端末通信手段
６０１  網制御手段
６０２  通信電文解析手段
６０３  通信電文生成手段
６０４  通信プロトコル変換手段
６０５  端末通信手段
【図１】
2004201217.tif 000003
【図２】
2004201217.tif 000004
【図３】
2004201217.tif 000005
【図４】
2004201217.tif 000006
【図５】
2004201217.tif 000007
【図６】
2004201217.tif 000008
【図７】
2004201217.tif 000009
【図８】
2004201217.tif 000010
【図９】
2004201217.tif 000011